(57)【特許請求の範囲】
【請求項１】
把持部となる軸筒外面に複数の凹部が滑り止めとして形成される筆記具であって、前記各々の凹部が、外周面形状を奇数多角形とし、一つの頂点が軸筒後端側に形成されるとともに、前記頂点と対向する辺がペン先側の軸方向に略垂直に形成され、外周面の奇数多角形面を仮想底面とし、軸心方向に頂部を形成する多角錐形状であることを特徴とする筆記具。
【請求項２】
前記奇数多角形が、三角形又は五角形である請求項１記載の筆記具。
【請求項３】
前記凹部が、チップ側の傾斜面の勾配Ａと軸筒後端側の傾斜稜線の勾配ＢにおいてＡ＞Ｂである請求項１又は２に記載の筆記具。
【請求項４】
前記凹部が、軸筒外周面の周方向に等間隔に形成される請求項１乃至３のいずれかに記載の筆記具。
【請求項５】
前記凹部が、軸筒外周面の周方向に接触状態で連続して形成される請求項１乃至４のいずれかに記載の筆記具。
【請求項６】
前記凹部が、軸筒外周面の軸方向に等間隔に形成される請求項１乃至５のいずれかに記載の筆記具。
【請求項７】
前記凹部が、軸筒外周面の軸方向に接触状態で連続して形成される請求項１乃至６のいずれかに記載の筆記具。
【請求項８】
前記軸筒の把持部が透明樹脂材料により成形される請求項１乃至７のいずれかに記載の筆記具。
【発明の詳細な説明】
【技術分野】
【０００１】
本発明は筆記具に関する。詳細には、軸筒外面の把持部に滑り止めが形成される筆記具に関する。
【背景技術】
【０００２】
従来、筆記具軸筒の把持部には、滑り止め効果を付与することを目的に、エラストマー等の弾性部材を被覆する技術や、軸筒や弾性部材表面にディンプル状、ローレット状等の複数の凹部を形成する技術が用いられている（例えば、特許文献１乃至３参照）。更に、前記凹部に装飾性と意匠効果を付与するものとして、インキ保溜部材を内設する軸筒外面に、複数の凸状線や凹状線同士を略等間隔に交差させることで得られる連続状菱形の線図が用いられている（例えば、特許文献４参照）。
【０００３】
前記特許文献４に示される連続する菱形の線図においては、汎用のディンプルやローレット形状に比べて意匠効果が高いものであるが、把持部外周面に形成される各菱形の対向する二個の頂点（鋭角部）が軸方向に位置するため、筆記時に指先が、菱形の鋭角方向であるペン先側に滑り易いものである。また、菱形同士が四辺すべてを他の菱形線図と接触するため、筆圧をかけた際に指先がペン先側に動き易い（滑り易い）ものである。更に、線図により形成されるため、軸筒把持部を透明樹脂材料で形成した場合であっても、光の乱反射による光輝感が得られないものである。
【先行技術文献】
【特許文献】
【０００４】
【特許文献１】特開平１１−２０８１７５号公報
【特許文献２】特開平７−２９９９８５号公報
【特許文献３】特開２００８−６７９１号公報
【特許文献４】特開２００２−１４４７８３号公報
【発明の概要】
【発明が解決しようとする課題】
【０００５】
本発明は、筆記時においても指先が滑ってペン先側に移動すること無く高い滑り止め効果が得られるとともに、ローレット等の汎用の凹部に比べて高い装飾性と意匠効果が付与でき、特に、透明樹脂材料で形成した場合には光の乱反射による光輝感が得られる把持部を備えた筆記具を提供するものである。
【課題を解決するための手段】
【０００６】
本発明は、把持部となる軸筒外面に複数の凹部が滑り止めとして形成される筆記具であって、前記各々の凹部が、外周面形状を奇数多角形とし、一つの頂点が軸筒後端側に形成されるとともに、前記頂点と対向する辺がペン先側の軸方向に略垂直に形成され、外周面の奇数多角形面を仮想底面とし、軸心方向に頂部を形成する多角錐形状であることを要件とする。
更に、前記奇数多角形が、三角形又は五角形であること、前記凹部が、チップ側の傾斜面の勾配Ａと軸筒後端側の傾斜稜線の勾配ＢにおいてＡ＞Ｂであることを要件とする。
更に、前記凹部が、軸筒外周面の周方向に等間隔に形成されること、前記凹部が、軸筒外周面の周方向に接触状態で連続して形成されること、前記凹部が、軸筒外周面の軸方向に等間隔に形成されること、前記凹部が、軸筒外周面の軸方向に接触状態で連続して形成されることを要件とする。
更には、前記軸筒の把持部が透明樹脂材料により成形されることを要件とする。
【発明の効果】
【０００７】
本発明により、筆記時に指先が滑ってペン先側に移動することを抑制して高い滑り止め効果が得られるとともに、汎用の凹部に比べて高い装飾性と意匠効果を付与できる。特に、軸筒の把持部を透明樹脂材料で形成した場合には、光の乱反射による輝度の高い光輝感が得られる筆記具となる。
【図面の簡単な説明】
【０００８】
【図１】本発明の筆記具の一例を示す概観図である。
【図２】図１の把持部の拡大図である。
【図３】図２の凹部の軸方向断面の拡大図である。
【図４】他の一例の筆記具の把持部の拡大図である。
【図５】他の一例の筆記具の把持部の拡大図である。
【発明を実施するための形態】
【０００９】
本発明の筆記具１の実施形態について図面を用いて説明するが、本発明はこれらに限定されるものではない。
図１乃至３に示す筆記具１は、軸筒２外面の把持部３となる箇所に複数の凹部４が滑り止めとして形成されるキャップ式筆記具の筆記具本体であり、前記各々の凹部４が、外周面形状（外側から視認される輪郭形状）を奇数多角形（本実施形態においては三角形）とし、その一つの頂点４１が軸筒後端側に形成されるとともに、前記頂点４１と対向する辺４２がペン先６側の軸方向に略垂直に形成されている。
【００１０】
図１の筆記具１は、水性ゲルインキを内蔵するボールペンレフィルを軸筒２内に収容しており、前記軸筒２は、後端に尾栓２３が嵌合される筒状の本体軸２１と金属製の口金２２とを螺合することで形成される。
前記本体軸２１は、透明なＡＳ樹脂からなる円筒状成形物であり、把持部３となる前方箇所の外面には、略三角錐形状の凹部４が周方向に等間隔に設けられるとともに、軸方向にも四列に亘って等間隔に形成されている。
尚、前記凹部４は本体軸２１を射出成形する時に一体に形成されるものであるが、エラストマー等からなる別体のグリップ部材に前記凹部４を形成し、硬質の軸体の把持部に取り付ける構成（二色成形を含む）であってもよい。また、本体軸２１は樹脂製のものに限らず、金属や木材、セラミック等、汎用の筆記具外装として適用される硬質材料を用いることもでき、円筒状に限らず多角形筒状とすることもできる。
【００１１】
前記各凹部４は、軸筒外周面の三角形面（輪郭部分）を仮想底面とし、軸心方向に頂部４３を形成する三角錐形状であり、特に、仮想底面となる三角形の一辺４２が軸方向と垂直に形成される（即ち、径方向に略並行に形成される）とともに、該一辺４２（垂直辺）に対向する頂点４１が辺４２の略中心から垂直な位置に形成され二等辺三角形を構成している（図２参照）。
前記構成とすることで、筆記時に指先が動いてペン先側に移動した場合に、頂点４１側から広角方向の辺４２側に向かって稜線４５方向へ直線的に移動し、軸方向と垂直に形成される辺４２（面４４）で確実に停止する。そのため、筆記時に筆圧がかかった際にも前記停止位置で指先を保持され、複数の微小凹部によって高い滑り止め効果が得られる。
尚、仮想底面となる三角形の一辺４２が軸方向と垂直に形成されていれば、該一辺４２に対向する頂点４１は、辺４２の略中心から垂直な位置（即ち、二等辺三角形を形成する位置）でなくても滑り止め効果が得られるため、この限りではないが、図２のような二等辺三角形（正三角形を含む）とすることがより高い滑り止め効果を発現するため最も有用である。
また、本実施形態においては軸筒２が円筒状であるため、仮想底面となる三角形の各辺（輪郭線）が湾曲した状態で形成されているがこの限りでなく、直線状であってもよい。
【００１２】
前記三角錐形状の凹部４においては、頂部４３を形成する三つの三角形面を同形状で構成することもできるが、指先係止面となる垂直辺４２を有する面４４のみを異なる形状とすることもできる。その場合、外側から仮想底面を視認した状態で、頂部４３が頂点４１よりも辺４２に近くなる位置に設けることが好ましい。前記位置関係における凹部４の窪みについて図３により説明する。
【００１３】
図３は、一つの凹部４の軸方向断面の拡大図であるが、軸筒２（本体軸２１）表面から垂直な位置に形成される頂部４３が、ペン先側斜面４４の距離を短く、尾栓側稜線４５の距離を長く設定する位置に配置されることで、チップ側傾斜面の勾配Ａと軸筒後端側の傾斜稜線の勾配ＢにおいてＡ＞Ｂとなっている。これにより、指先が稜線４５部分を移動する速度が緩やかになるとともに斜面４４での指先保持力が高まるため、把持した際の触感が良くグリップ力の高いものとなる。
【００１４】
また、前記凹部４を複数備えた把持部３が直接形成される本体軸２１は、透明樹脂材料（即ち、無色透明、着色透明、乳白色透明等の光透過性を有する材料であり、本実施形態ではＡＳ樹脂中に着色材を添加した着色透明材料を適用）により成形されているため、前記把持部３は、各凹部４の乱反射に伴う輝度の高い光輝感を発現するものとなり、意匠性の高いものとなっている。
【００１５】
尚、凹部４の外周面形状（輪郭部分）が奇数多角形である本発明の一例として三角形であるものを説明したが、五角形、七角形、九角形等であってもよく、いずれの形状においても各多角形の一辺（図２の垂直辺４２に対応する辺）が軸方向と垂直に形成されることで滑り止め効果を得ることができる。特に、輪郭部分の一辺が長く、保持状態の指先との接触部分が広くなることで保持力が高い点から三角形と五角形が好適である。
また、凹部４の内面形状（窪み面）としても、外周面形状を仮想底面とする多角錐の他、軸心方向に頂部４３を有さない角錐台等の多面体形状や球面部を備えた形状であってもよい。
【００１６】
本実施形態では、ペン先（チップ）を覆うキャップを備えたキャップ式形態の筆記具としたが、ノック式、回転式、スライド式等の出没機構を有し、軸筒内にペン先を収容可能な出没式形態であってもよい。尚、出没式形態とする場合、レフィルを一本収容するタイプだけでなく、二本以上収容して所望のレフィルを選択的に出没できる複式タイプとすることもできる。
また、相異なる形態のペン先を装着させたり、相異なる色相のインキを導出させるペン先を装着させた両頭式形態であってもよい。
更にペン先の形態としてもボールペンチップに限らず、繊維チップ、フェルトチップ、プラスチックチップ、金属加工チップ等のマーキングペン用ペン先を用いたマーキングペン、更には万年筆やシャープペンシル等、汎用形態の筆記具とすることもできる。
その際、本実施形態で説明したレフィル式筆記具だけでなく、インキ保溜部材を用いた直液式筆記具や、インキ吸蔵体を用いた中詰式筆記具であってもよい。
【００１７】
図４に第二実施形態の筆記具の把持部拡大図を示す。
本形態の筆記具１は把持部３のみを異形とした以外は、前述の第一実施形態と同様の構成からなる。
前記本体軸２１は、透明なＡＳ樹脂からなる筒状成形物であり、把持部３となる前方箇所の外面には、前述の略三角錐形状の凹部４が、周方向に等間隔に複数設けられるとともに、軸方向に接触状態で連続して形成されている。尚、前記凹部４は本体軸２１を射出成形する時に一体に形成されている。
各凹部４は、仮想底面（即ち、三角形の輪郭）の軸方向垂直辺４２と、軸方向に隣り合う仮想底面の頂点４１が隣接した状態で軸方向に連続形成されているため、筆記時に指先が動いてペン先側に移動した際、頂点４１側から広角方向の辺４２側に向かって直線的（稜線４５方向）に移動し、軸方向と垂直に形成される辺４２（面４４）で停止する状態が短距離間で連続して生じる。そのため、筆記時に筆圧がかかった際にもすぐに前記停止位置（辺４２や面４４）で指先が保持されることから、滑り難い把持位置の調整が容易なものとなる。
尚、前記形態においては、仮想底面となる三角形の一辺４２が軸方向と垂直に形成されるとともに、該一辺４２に対向する頂点４１が辺４２の略中心から垂直な位置に形成される（即ち、仮想底面が二等辺三角形となる）ことが好ましい。
【００１８】
また、乱反射面となる各凹部４が軸方向に近接しているため、連続した光輝性が得られ易く、より高い意匠効果を発現するものとなる。
【００１９】
図５に第三実施形態の筆記具の把持部拡大図を示す。
本形態の筆記具１は軸筒の材質をポリカーボネート樹脂とし、後端ノック式形態の筆記具に使用する外装とした以外は前述の第一実施形態と同様の構成からなり、図５には把持部３の拡大図のみを示す。
前記本体軸２１は、着色透明ポリカーボネート樹脂からなる円筒状成形物であり、把持部３となる箇所の外面には、前述の略三角錐形状の凹部４が、軸筒外周面の周方向に接触状態で連続して複数設けられるとともに、軸方向に三列に亘って等間隔に形成されている。尚、前記凹部４は本体軸２１を射出成形する時に一体に形成されている。
各凹部４は、仮想底面（即ち、三角形の輪郭）の軸方向垂直辺４２の両端が、外周方向に隣り合う仮想底面の垂直辺４２と隣接して外周を一周するように連続形成されているため、筆記時に指先が滑ってペン先側に移動する際、頂点４１側から広角方向の辺４２側に向かって直線的（稜線４５方向）に移動し、軸方向と垂直に形成される辺４２（面４４）で停止する状態が円周に亘って維持できる。そのため、筆記具を円周方向に回して握り直した際にも前記停止位置（辺４２や面４４）で指先が保持されることから、滑り難い把持位置の調整が容易なものとなる。従って、円筒状の軸筒において特に有用なものとなる。
【００２０】
また、乱反射面となる各凹部４が外周方向に近接するため、連続した光輝性が得られ易く、より高い意匠効果を発現するものとなる。
【符号の説明】
【００２１】
１  筆記具（ボールペン）
２  軸筒
２１  本体軸
２２  口金
２３  尾栓
３  把持部
４  凹部
４１  頂点
４２  辺（垂直辺）
４３  頂部
４４  傾斜面
４５  稜線
５  ペン先
【図１】
0005918591.tif 000002
【図２】
0005918591.tif 000003
【図３】
0005918591.tif 000004
【図４】
0005918591.tif 000005
【図５】
0005918591.tif 000006